(57)【要約】【課題】  第１および第２の係合素子を利用して第１および第２のボックス体を係着することにより、ＦＯＳＢ用ストレージ・ボックスに閉合空間を形成する。【解決手段】  ＦＯＳＢ３０の貯蔵に応用されるＦＯＳＢ用ストレージ・ボックス２０は、ＦＯＳＢ３０の第１の部分３１を有する第１のボックス体４１と、第１のボックス体４１上に取り付けられた第１の係合素子と、ＦＯＳＢの第２の部分が収容され、そして第１のボックス体４１と共同して閉合空間を形成してＦＯＳＢを収容する第２のボックス体５１と、第２のボックス体５１上に設けられると共に、第１の係合素子と係合して、ＦＯＳＢを閉合空間に固定するように第１の係合機構を形成する第２の係合素子とを備えている。【選択図】    図２
2006052014.tif 000002
【特許請求の範囲】
【請求項１】
ＦＯＳＢ（Ｆｒｏｎｔ  Ｏｐｅｎｉｎｇ  Ｓｈｉｐｐｉｎｇ  Ｂｏｘ）の第１の部分を収容する第１のボックス体と、
前記第１のボックス体上に取り付けられた第１の係合素子と、
前記ＦＯＳＢの第２の部分が収容され、前記第１のボックス体と共同して閉合空間を形成して前記ＦＯＳＢを収容する第２のボックス体と、
前記第２のボックス体上に設けられているとともに、前記第１の係合素子と係合して前記ＦＯＳＢを前記閉合空間内に固定する第１の係合機構を形成する第２の係合素子と
を備えてなることを特徴とするＦＯＳＢの貯蔵に応用されるＦＯＳＢ用ストレージ・ボックス。
【請求項２】
前記第１のボックス体は、上カバーであり、かつ、
前記第１および第２の係合素子は、それぞれ弧形係着孔および突出テノンであり、
これら弧形係着孔および突出テノンにより相互係着に寄与して前記第１の係合機構を形成することを特徴とする請求項１に記載のストレージ・ボックス。
【請求項３】
前記ストレージ・ボックスは、さらに、前記第１の係合機構と共同して第１の係合面を形成して前記第１および第２のボックス体を固定する第２の係合機構を備え、
その中、前記突出テノンは反転片上に位置し、かつ、
前記反転片は、前記第１の係合機構のオープンに寄与する端部突縁および中央凸起を備え、
および／または、
前記第２のボックス体は、前記反転片の左側および右側の凸起バーを取り付ける第１および第２の“冂”形凹溝を備え、
前記第２のボックス体は、さらに、前記反転片の一定位端部の頂部を当接させる頂部当接凸点を備え、かつ、
前記第１および第２の“冂”形凹溝は、頂部当接凸点と共同的に前記反転片を握持し、
前記第１および第２のボックス体は、
互いに共同して前記ストレージ・ボックスの第２の係合面が形成されることにより、前記第１および第２のボックス体に固定連接される第３および第４の係合機構と、
互いに共同して前記ストレージ・ボックスの第３の係合面が形成されることにより前記第１および第２のボックス体に固定連接される第５および第６の係合機構と、
互いに共同して前記ストレージ・ボックスの第４の係合面が形成されることにより、前記第１および前記第２のボックス体に固定連接される第７および第８の係合機構と
の少なくとも１つを備えている
ことを特徴とする請求項１に記載のストレージ・ボックス。
【請求項４】
前記ストレージ・ボックス体は、さらに、前記ストレージ・ボックスの上方に定着される重ねストレージ・ボックスを備え、
その中、前記ストレージ・ボックスの前記第１のボックス体は、ボックス体凹溝とボックス体係着テノンとを備え、
前記重ねストレージ・ボックスは、第３のボックス体を備え、かつ、
前記第３のボックス体は、重ね係着テノンと重ね凹溝とを有するとともに、９０°回転して前記ボックス体凹溝および前記ボックス体係着テノンに嵌め込まれると、前記重ねストレージ・ボックスが前記ストレージ・ボックスの上に定着されることが完成され、
その中、前記第１のボックス体凹溝には側壁があり、
前記側壁には、中央凹溝があり、かつ、
前記第１ないし第３のボックス体は、前記第１ないし第３のボックス体が射出成形後に重ね／ヒープに寄与できるように同一の形状を有し、
および／または、
前記第１のボックス体は、気圧計および通気管を有し、これにより前記ストレージ・ボックスが保有している窒素ガス量および前記ストレージ・ボックスに対するナイトロゼン・チャージングを検知可能であり、
および／または、
前記第１のボックス体は、前記ＦＯＳＢの防振効果を得る防振泡体を備えていることを特徴とする請求項１に記載のストレージ・ボックス。
【請求項５】
物体の第１の部分を収容する第１のボックス体と、
前記第１のボックス体上に取り付けられた第１の係合素子と、
前記物体の第２の部分を収容し、前記第１のボックス体とともに一閉合空間を形成して前記物体を収容する第２のボックス体と、
前記第２のボックス体上に取り付けられているとともに、前記第１の係合素子と係合を進行して第１の係合機構を形成し、これにより前記物体を前記閉合空間内に固定させる第２の係合素子と、
前記第１の係合機構と共同して前記ストレージ・ボックスの第１の係合面を形成することにより、前記第１および第２のボックス体を固定連接する第２の係合機構と、
互いに共同して前記ストレージ・ボックスの第２の係合面を形成して前記第１および第２のボックス体を固定連接する第３および第４の係合機構と
を備えてなることを特徴とするストレージ・ボックス。
【請求項６】
前記ストレージ体は、ＦＯＳＢの貯蔵に応用され、
前記物体そのものはＦＯＳＢであり、
その中、前記第１のボックス体は上カバーであり、かつ、
前記第１および第２の係合素子は、それぞれ一弧形形着溝および一突出係着テノンであって、相互の係合／連接に寄与して前記第１の係合機構を形成し、
および／または、
前記突出係着テノンは、反転片上に位置し、かつ、
前記反転片は、端部突縁および中央凸起を有して前記第１の係合機構のオープンに寄与することを特徴とする請求項５に記載のストレージ・ボックス。
【請求項７】
物体の第１の部分を収容する第１のボックス体と、
前記第１のボックス体上に取り付けられた第１の係合素子と、
前記物体の第２の部分を収容するのに用いられ、前記第１のボックス体と共同して閉合空間を形成して前記物体を収容する第２のボックス体と、
前記第２のボックス体上に取り付けられ、前記第１の係合素子と係合して第１の係合機構を形成することにより前記物体を前記閉合空間内に固定させる第２の係合素子と、
前記第１のボックス体上に取り付けられ、前記ストレージ・ボックスに充填された純ガス量を検出する気圧計と
を備えてなることを特徴とするストレージ・ボックス。
【発明の詳細な説明】
【技術分野】
【０００１】
本発明はＦＯＳＢ用ストレージ・ボックスに関し、特に運送用ＦＯＳＢを貯蔵して貨車着脱を行なうのに応用されるＦＯＳＢ用ストレージ・ボックスに関する。
【背景技術】
【０００２】
例えば半導体メーカが常用している運送用ＦＯＳＢ（Ｆｒｏｎｔ  Ｏｐｅｎｉｎｇ  Ｓｈｉｐｐｉｎｇ  Ｂｏｘ）は例えば４インチ、８インチまたは１２インチなど多種ある。このようなＦＯＳＢが甲側から乙側へ運送される場合、通常３．５トンのトラックで運送される。
【０００３】
図１は従来の上カバープレートおよび下カバープレートを有する手押車、およびそれが載荷するＦＯＳＢの立体見取図である。図１に示すように、手押車１０には運送用ＦＯＳＢ１１が置かれている。上下カバープレート１２，１３が押車本体１４を被合させた後、手押車１０に対して窒素ガスを注入してＦＯＳＢ１１の物性安定を確保する。
【発明の開示】
【発明が解決しようとする課題】
【０００４】
しかしながら、上下カバープレート１２，１３と押車本体１４との被合を十分に緊密にすることができないので、運送の過程において持続的に窒素ガスを手押車１０内に補充して、ＦＯＳＢ１１を窒素ガスが高濃度の環境中に配置するように維持しなければならない。このように、持続的に手押車１０内に窒素ガスを補充する必要があるので、運送過程中のトラブルを増加させるほか、トラック内において手押車１０内の窒素ガスを補充する必要があるので非常に面倒であり、理想的なＦＯＳＢ１１の運送方式ではない。
【０００５】
したがってＦＯＳＢの運搬時に常に周囲の窒素ガス含量を補充しなければならない問題を改善して、トラック内の手押車に絶えず窒素ガスを注入しなければならない面倒を解消することが求められている。
【０００６】
この発明は、上記課題を解決するためになされたものであり、その第１の目的とするところは、第１および第２の係合素子を利用して第１および第２のボックス体を係着することにより、ＦＯＳＢ用ストレージ・ボックスに閉合空間を形成することにある。
【０００７】
また、本発明の第２の目的とするところは、孤形係着溝および突出テノンを運用して相互の嵌着に寄与し、これにより係合機構を形成することにある。
【０００８】
また、本発明の第３の目的とするところは、第１の係合機構と共同して第１のストレージ・ボックスの第１の係合面を形成して使用することにより、第１および第２のボックス体を固定することにある。
【課題を解決するための手段】
【０００９】
上記に基づき、本願発明者が鋭意努力し、実験、テストおよび研究を重ねた結果、ついに効果的に手押車に対して絶えず窒素ガスを注入する欠点を克服したほか、ＦＯＳＢの運送効率を大幅に向上させることができた。
【００１０】
上記目的を達成するために、この発明に係る、ＦＯＳＢの貯蔵用に応用されたＦＯＳＢ用ストレージ・ボックスは、ＦＯＳＢ（Ｆｒｏｎｔ  Ｏｐｅｎｉｎｇ  Ｓｈｉｐｐｉｎｇ  Ｂｏｘ）の第１の部分を収容する第１のボックス体と、前記第１のボックス体上に取り付けられた第１の係合素子と、前記ＦＯＳＢの第２の部分が収容され、前記第１のボックス体と共同して閉合空間を形成して前記ＦＯＳＢを収容する第２のボックス体と、前記第２のボックス体上に設けられているとともに、前記第１の係合素子と係合して前記ＦＯＳＢを前記閉合空間内に固定する第１の係合機構を形成する第２の係合素子とを備えてなることを特徴とする。
【００１１】
また、好ましくは、前記第１のボックス体は、上カバーであり、かつ、前記第１および第２の係合素子は、それぞれ弧形係着孔および突出テノンであり、これら弧形係着孔および突出テノンにより相互係着に寄与して前記第１の係合機構を形成することを特徴とする。
【００１２】
また、好ましくは、前記ストレージ・ボックスは、さらに、前記第１の係合機構と共同して第１の係合面を形成して前記第１および第２のボックス体を固定する第２の係合機構を備え、その中、前記突出テノンは反転片上に位置し、かつ、前記反転片は、前記第１の係合機構のオープンに寄与する端部突縁および中央凸起を備え、および／または、前記第２のボックス体は、前記反転片の左側および右側の凸起バーを取り付ける第１および第２の“冂”形凹溝を備え、前記第２のボックス体は、さらに、前記反転片の一定位端部の頂部を当接させる頂部当接凸点を備え、かつ、前記第１および第２の“冂”形凹溝は、頂部当接凸点と共同的に前記反転片を握持し、前記第１および第２のボックス体は、互いに共同して前記ストレージ・ボックスの第２の係合面が形成されることにより、前記第１および第２のボックス体に固定連接される第３および第４の係合機構と、互いに共同して前記ストレージ・ボックスの第３の係合面が形成されることにより前記第１および第２のボックス体に固定連接される第５および第６の係合機構と、互いに共同して前記ストレージ・ボックスの第４の係合面が形成されることにより、前記第１および前記第２のボックス体に固定連接される第７および第８の係合機構との少なくとも１つを備えていることを特徴とする。
【００１３】
また、好ましくは、前記ストレージ・ボックス体は、さらに、前記ストレージ・ボックスの上方に定着される重ねストレージ・ボックスを備え、その中、前記ストレージ・ボックスの前記第１のボックス体は、ボックス体凹溝とボックス体係着テノンとを備え、前記重ねストレージ・ボックスは、第３のボックス体を備え、かつ、前記第３のボックス体は、重ね係着テノンと重ね凹溝とを有するとともに、９０°回転して前記ボックス体凹溝および前記ボックス体係着テノンに嵌め込まれると、前記重ねストレージ・ボックスが前記ストレージ・ボックスの上に定着されることが完成され、その中、前記第１のボックス体凹溝には側壁があり、前記側壁には、中央凹溝があり、かつ、前記第１ないし第３のボックス体は、前記第１ないし第３のボックス体が射出成形後に重ね／ヒープに寄与できるように同一の形状を有し、および／または、前記第１のボックス体は、気圧計および通気管を有し、これにより前記ストレージ・ボックスが保有している窒素ガス量および前記ストレージ・ボックスに対するナイトロゼン・チャージングを検知可能であり、および／または、前記第１のボックス体は、前記ＦＯＳＢの防振効果を得る防振泡体を備えていることを特徴とする。
【００１４】
また、上記目的を達成するために、この発明に係る、ＦＯＳＢの貯蔵用に応用されたＦＯＳＢ用ストレージ・ボックスは、物体の第１の部分を収容する第１のボックス体と、前記第１のボックス体上に取り付けられた第１の係合素子と、前記物体の第２の部分を収容し、前記第１のボックス体とともに一閉合空間を形成して前記物体を収容する第２のボックス体と、前記第２のボックス体上に取り付けられているとともに、前記第１の係合素子と係合を進行して第１の係合機構を形成し、これにより前記物体を前記閉合空間内に固定させる第２の係合素子と、前記第１の係合機構と共同して前記ストレージ・ボックスの第１の係合面を形成することにより、前記第１および第２のボックス体を固定連接する第２の係合機構と、互いに共同して前記ストレージ・ボックスの第２の係合面を形成して前記第１および第２のボックス体を固定連接する第３および第４の係合機構とを備えてなることを特徴とする。
【００１５】
また、好ましくは、前記ストレージ体は、ＦＯＳＢの貯蔵に応用され、前記物体そのものはＦＯＳＢであり、その中、前記第１のボックス体は上カバーであり、かつ、前記第１および第２の係合素子は、それぞれ一弧形形着溝および一突出係着テノンであって、相互の係合／連接に寄与して前記第１の係合機構を形成し、および／または、前記突出係着テノンは、反転片上に位置し、かつ、前記反転片は、端部突縁および中央凸起を有して前記第１の係合機構のオープンに寄与することを特徴とする。
【００１６】
また、上記目的を達成するために、この発明に係る、ＦＯＳＢの貯蔵用に応用されたＦＯＳＢ用ストレージ・ボックスは、物体の第１の部分を収容する第１のボックス体と、前記第１のボックス体上に取り付けられた第１の係合素子と、前記物体の第２の部分を収容するのに用いられ、前記第１のボックス体と共同して閉合空間を形成して前記物体を収容する第２のボックス体と、前記第２のボックス体上に取り付けられ、前記第１の係合素子と係合して第１の係合機構を形成することにより前記物体を前記閉合空間内に固定させる第２の係合素子と、前記第１のボックス体上に取り付けられ、前記ストレージ・ボックスに充填された純ガス量を検出する気圧計とを備えてなることを特徴とする。
【発明の効果】
【００１７】
上記発明の開示から分かるように、ＦＯＳＢ用ストレージ・ボックスは確実に第１および第２の係合素子を利用して第１および第２のボックス体を係着可能であり、これによりＦＯＳＢ用ストレージ・ボックスに閉合空間を形成することができると共に、弧形係着溝および突出係着テノンを運用して相互係合連接させて該第１の係合機構を形成することができる。
【発明を実施するための最良の形態】
【００１８】
以下、図面を参照しながらこの発明を実施するための最良の形態（以下、実施の形態という）について説明する。
【００１９】
まず、第１の実施の形態について図２ないし図９を用いて説明する。
【００２０】
図２の立体図は、ＦＯＳＢ用ストレージ・ボックス２０を示す。図３の立体見取り図は、図２に示すストレージ・ボックス２０内に包装されるＦＯＳＢ３０を示す。すなわち、図３に示すＦＯＳＢ３０を包装する、図２に示すＦＯＳＢ用ストレージ・ボックス２０は、第１のボックス体４１と、第２のボックス体５１とを備えている。このストレージ・ボックス２０は、さらに、第１の係合素子４１１（図４参照）と、閉合空間３３（図３参照）と、第２の係合素子６１（図６参照）とを備えている。
【００２１】
図２に示す第１のボックス体４１は、ＦＯＳＢ３０の第１の部分３１（図３参照）を収容する。図４に示すように、第１の係合素子４１１は、この第１のボックス体４１上に取り付けられている。
【００２２】
図２および図５に示す第２のボックス体５１は、図３に示すＦＯＳＢ３０の第２の部分３２を収容する。
【００２３】
図３に示す閉合空間３３は、第１のボックス体４１と第２のボックス体５１とにより形成され、ＦＯＳＢ３０を収容する空間である。図６に示す第２の係合素子６１は、第２のボックス体５１上に取り付けられ、第１の係合素子４１１と係合して、ＦＯＳＢ３０を閉合空間３３内に固定するように、図３および図５に示す第１の係合機構３４を形成する。
【００２４】
なお、ストレージ・ボックス２０の第１のボックス体４１は上カバーであり、図４および図６にそれぞれ示す第１および第２の係合素子４１１，６１は、それぞれ２弧形係着溝４１１および２突出係着テノン６１であり、これら２弧形係着溝４１１および２突出係着テノン６１が相互に係合連接して図３および図５に示す第１の係合機構３４を形成する。
【００２５】
図３に示すように、ストレージ・ボックス２０は、さらに、第１の係合機構３４と共同してストレージ・ボックス２０の第１の係合面３６を形成して第１および第２のボックス体４１，５１を固定連接する第２の係合機構３５を備えている。
【００２６】
ストレージ・ボックス２０は、反転片（反転板）６０を備えている。図６に示す突出係着テノン６１は、反転片６０上に配置されている。この反転片６０には、図６および図７に示すように、第１の係合機構３４のオープンに寄与するように端部突縁６２および中央凸起７１が配設されている。
【００２７】
図８に示すように、第２のボックス体５１は、第１および第２の“冂”形凹溝８１，８２を備えている。これら第１および第２の“冂”形凹溝８１，８２により図６に示す反転片６０の左側および右側にそれぞれ突起バー６３，６４を取り付けることができる。すなわち、第２のボックス体５１の第１および第２の“冂”形凹溝８１，８２に反転片６０が装着される。また、図８に示すように、第２のボックス体５１は、さらに、頂部当接凸点８３を備えている。この頂部当接凸点８３により、第２のボックス体５１が反転片６０の定位端部６５（図６参照）に当接すると共に第１および第２の“冂”形溝８１，８２が頂部当接凸点８３と共同して反転片６０を握持する。
【００２８】
図９に示すように、ストレージ・ボックス２０の第１のボックス体４１には、気圧計１１０および通気管１１１が取り付けられている。この気圧計１１０によりストレージ・ボックス２０内の窒素ガス量およびストレージ・ボックス２０に対するナイトロゼン・チャージングを検知可能である。通気管１１１を通したストレージ・ボックス２０に対するナイトロゼン・チャージングの２秒前に、先ず半秒ブリードすることが好適である。
【００２９】
すなわち、本実施の形態に係るストレージ・ボックス２０は、第１のボックス体４１と、第１の係合素子４１１と、第２のボックス体５１と、第２の係合素子６１と、気圧計１１０とを備えているということもできる。
【００３０】
第１のボックス体４１は、物体（例えばＦＯＳＢ３０）の第１の部分３１を収容する。第１の係合素子４１１は、第１のボックス体４１上に取り付けられている。第２のボックス体５１は、該物体の第２の部分３２を収容し、そして第１のボックス体４１が第２のボックス体５１と閉合空間３３を形成することにより該物体を収容する。第２の係合素子６１は、第２のボックス体５１上に取り付けられ、かつ、第１の係合素子４１１との係合を進行させることにより、第１の係合機構３４を形成し、これにより該物体を閉合空間３３内に固定させる。気圧計１１０は、第１のボックス体４１上に取り付けられ、これによりストレージ・ボックス２０内に充填されている純ガス量を検知する。
【００３１】
なお、言うまでもなく、この場合のストレージ・ボックス２０はＦＯＳＢ３０の貯蔵に応用することができ、そして、該物体はＦＯＳＢ３０である。
【００３２】
要するに、この実施の形態は、確実に斬新な設計で第１および第２の係合素子４１１，６１を利用すれば、ＦＯＳＢ用ストレージ・ボックス２０に閉合空間３３を形成させることができる。また、本実施の形態で説明した弧形係着溝４１１および突出係着テノン６１は相互係着に寄与でき、これにより第１の係合機構３４を形成する。
【００３３】
すなわち、ストレージ・ボックスの第１のボックス体は上カバーであり、かつ、第１および第２の係合素子はそれぞれ弧形係着溝および突出係着テノンであり、これらが相互係合連接することにより第１の係合機構を形成する。
【００３４】
また、ストレージ・ボックスはさらに第２の係合機構を含み、この係合機構は、第１の係合機構と共同してストレージ・ボックスの第１の係合面を形成し、これにより第１および第２のボックス体を固定連接することができる。
【００３５】
当然として、ストレージ・ボックスはＦＯＳＢに応用されることができ、そして物体はＦＯＳＢであり、純ガス量は、窒素ガス量である。
【００３６】
なお、ストレージ・ボックス２０は、さらに、例えば発泡体からなる防振泡体３７（図３参照）を含むことができ、この防振泡体３７によりＦＯＳＢ３０の防振効果が得られる。
【００３７】
次に、第２の実施の形態について、図１０を用いて説明する。この実施の形態は第１の実施の形態の変形例であって、第１の実施の形態で説明した部材と同一の部材には同一の符号を付し、詳しい説明を省略する。
【００３８】
本実施の形態に係るストレージ・ボックス２０は、第１のボックス体４１と、第１の係合素子４１１と、第２のボックス体５１と、第２の係合素子６１と、第３および第４の係合機構９１，９２とを備えている。
【００３９】
図１０に示すように、ストレージ・ボックス２０の第１のボックス体４１は、第３および第４の係合機構９１，９２を備えている。これら第３および第４の係合機構９１，９２は、互いに共同してストレージ・ボックス２０の第２の係合面９３を形成する。このため、これら第３および第４の係合機構９１，９２による第２の係合面９３により第１および第２のボックス体４１，５１が固定連接される。
【００４０】
第１のボックス体４１は、物体（例えば、ＦＯＳＢ３０）の第１の部分３１を収容する。第１の係合素子４１１は、第１のボックス体４１上に取り付けられている。第２のボックス体５１は、該物体の第２の部分３２を収容し、そして第１のボックス体４１が第２のボックス体５１と共同して閉合空間３３を形成して該物体を収容する。
【００４１】
第２の係合素子６１は、第２のボックス体５１上に取り付けられ、かつ、第１の係合素子４１１と係合して第１の係合機構３４形成し、これにより該物体を閉合空間３３内に固定させる。第２の係合機構３５は、第１の係合機構３４と共同してストレージ・ボックス２０の第１の係合面３６を形成して、第１および第２のボックス体４１，５１を固定連接する。第３および第４の係合機構９１，９２は、互いに共同してストレージ・ボックス２０の第２の係合面９３を形成して第１および第２のボックス体４１，５１を固定連接する。
【００４２】
なお、言うまでもなく、この場合のストレージ・ボックス２０は、ＦＯＳＢ３０の運送だけでなく、貯蔵に応用することができ、該物体は即ちＦＯＳＢ３０である。
【００４３】
次に、第２の実施の形態の変形例について説明する。
【００４４】
ストレージ・ボックス２０の第１のボックス体４１は、さらに、第５および第６の係合機構９４，９５を備えている。これら第５および第６の係合機構９４，９５は、互いに共同してストレージ・ボックス２０の第３の係合面９６を形成する。このため、これら第５および第６の係合機構９４，９５による第３の係合面９６により第１および第２のボックス体４１，５１が固定連接される。
【００４５】
もちろん、第１のボックス体４１は、第３および第４の係合機構９１，９２と、第５および第６の係合機構９４，９５との両者を備えていることが好適である。
【００４６】
次に、第２の実施の形態の他の変形例について説明する。
【００４７】
ストレージ・ボックス２０の第１のボックス体４１は、さらに、第７および第８の係合機構９７，９８を備えている。これら第７および第８の係合機構９７，９８は、互いに共同してストレージ・ボックス２０の第４の係合面９９を形成する。このため、これら第７および第８の係合機構９７，９８による第４の係合面９９により第１および第２のボックス体４１，５１が固定連接される。
【００４８】
もちろん、第１のボックス体４１は、第３および第４の係合機構９１，９２と、第７および第８の係合機構９７，９８との両者を備えていることが好適である。また、第１のボックス体４１は、第３および第４の係合機構９１，９２と、第５および第６の係合機構９４，９５と、第７および第８の係合機構９７，９８とを備えていることも好適である。
【００４９】
次に、第３の実施の形態について図１１を用いて説明する。この実施の形態は第１および第２の実施の形態の変形例であって、第１および第２の実施の形態で説明した部材と同一の部材には同一の符号を付し、詳しい説明を省略する。
【００５０】
図１１に示すように、第２の実施の形態で説明したストレージ・ボックス２０は、さらに、ストレージ・ボックス２０の上方に重ねストレージ・ボックス１００を配設可能である。この重ねストレージ・ボックス１００のうち、ストレージ・ボックス２０の第１のボックス体４１は、ボックス体凹溝１０１と、ボックス体係着テノン１０２とを備えている。
【００５１】
そして、重ねストレージ・ボックス１００は、重ね係着テノン１０４と、重ね凹溝１０５とを有する第３のボックス体１０３を備えている。この第３のボックス体１０３は、さらに、重ね係着テノン１０４と、重ね凹溝１０５とを備えている。これら重ね係着テノン１０４と、重ね凹溝１０５とを９０度の回転を介してボックス体凹溝１０１およびボックス体係着テノン１０２に嵌入すれば、重ねストレージ・ボックス１００がストレージ・ボックス２０の上方に係着固定される。
【００５２】
なお、ストレージ・ボックス２０の長さおよび幅は互いに同一のサイズであり、すなわち、角が円弧状の略正方形を有する。
【００５３】
また、第１のボックス体４１のボックス体凹溝１０１は、中央凹溝１０７を有する側壁１０６を備えている。そして、第１、第２および第３のボックス体４１，５１，１０３はこれら第１、第２および第３のボックス体４１，５１，１０３の射出成形後の重ねヒープに寄与するように同一の形状に形成されている。
【００５４】
上記発明の開示および実施の形態は、本発明の技術的手段を説明するためにあるものであり、決して本発明の技術的範囲ではない。即ち、本発明の特許請求の範囲を逸脱しない限り、本発明の技術的思想を利用した単純な設計変更、付加、修飾および置換はいずれも本発明の技術的範囲に属する。
【図面の簡単な説明】
【００５５】
【図１】従来技術に係る、上・下カバー・プレートを具備した手押車、およびそれが積載するＦＯＳＢ（Ｆｒｏｎｔ  Ｏｐｅｎｉｎｇ  Ｓｈｉｐｐｉｎｇ  Ｂｏｘ）の立体見取図。
【図２】本発明の第１の実施の形態に係るＦＯＳＢ用ストレージ・ボックスの好適な立体見取図。
【図３】本発明の第１の実施の形態に係るＦＯＳＢ用ストレージ・ボックスに包装されるＦＯＳＢの立体見取図。
【図４】本発明の第１の実施の形態に係るＦＯＳＢ用ストレージ・ボックスの図２における第１のボックス体の正面見取図。
【図５】本発明の第１の実施の形態に係るＦＯＳＢ用ストレージ・ボックスの図２における第２のボックス体の正面見取図。
【図６】本発明の第１の実施の形態に係るＦＯＳＢ用ストレージ・ボックスの図２におけるストレージ・ボックスが用いる反転片の正面見取図。
【図７】本発明の第１の実施の形態に係るＦＯＳＢ用ストレージ・ボックスの図６に示す反転片のＡ−Ａ線に沿う断面の見取図。
【図８】本発明の第１の実施の形態に係るＦＯＳＢ用ストレージ・ボックスの図６における反転片を握持可能な第１および第２“冂”形凹溝および頂部当接凸点の第２のボックス体を有する仰視見取図。
【図９】本発明の第１の実施の形態に係るＦＯＳＢ用ストレージ・ボックスに取り付けられた気圧計の立体見取図。
【図１０】本発明の第２の実施の形態に係るＦＯＳＢ用ストレージ・ボックスの図３における第２のボックス体の第３ないし第８の係合機構の伏視見取図。
【図１１】本発明の第３の実施の形態に係るＦＯＳＢ用ストレージ・ボックスに対する重ね、および係着固定を進行する状態を示す伏視見取図。
【符号の説明】
【００５６】
１０…手押車、１１…運送用ＦＯＳＢ、１２…上カバー・プレート、１３…下カバー・プレート、１４…押車本体、２０…ＦＯＳＢ用ストレージ・ボックス、３０…ＦＯＳＢ、３１…第１の部分、３２…第２の部分、３３…閉合空間、３４…第１の係合機構、３５…第２の係合機構、３６…第１の係合面、３７…防振泡体、４１…第１のボックス体、４１１…第１の係合素子／弧形係着溝、５１…第２のボックス体、６０…反転片、６１…第２の係合素子／突出係着テノン、６２…端部突縁、６３…左側突起バー、６４…右側突起バー、６５…定位端部、７１…中央凸起、８１…第１の“冂”形凹溝、８２…第２の“冂”形凹溝、８３…頂部当接凸点、９１…第３の係合機構、９２…第４の係合機構、９３…第２の係合面、９４…第５の係合機構、９５…第６の係合機構、９６…第３の係合面、９７…第７の係合機構、９８…第８の係合機構、９９…第４の係合面、１００…重ねストレージ・ボックス、１０１…ボックス体凹溝、１０２…ボックス体係着テノン、１０３…第３のボックス体、１０４…重ね係着テノン、１０５…重ね凹溝、１０６…側壁、１０７…中央凹溝、１１０…気圧計、１１１…通気管
【図１】
2006052014.tif 000003
【図２】
2006052014.tif 000004
【図３】
2006052014.tif 000005
【図４】
2006052014.tif 000006
【図５】
2006052014.tif 000007
【図６】
2006052014.tif 000008
【図７】
2006052014.tif 000009
【図８】
2006052014.tif 000010
【図９】
2006052014.tif 000011
【図１０】
2006052014.tif 000012
【図１１】
2006052014.tif 000013